(57)【要約】【課題】天井への壁紙貼り付け施工を一人で行なえる壁紙貼り器を提供する。【解決手段】壁紙を広げた状態で支持し、又、維持できるようにクリップなどを設ける。前記壁紙を圧着するローラーと壁紙を乗せる台を設けたことを特徴とする。【選択図】図１
2016125331.tif 000002
【特許請求の範囲】
【請求項１】
シートを支持する本体と前記シートを保持する部分を有することを特徴とする天井へのシート貼り付け器具
【発明の詳細な説明】
【技術分野】
【０００１】この発明は、壁紙を天井に貼り付ける施工時、一人でも貼り付けを可能とする器具である。
【背景技術】
【０００２】従来、壁紙を天井に貼り付ける作業は、壁紙の広げと位置合わせと圧着を同時に行なわなければならない為、一人では施工出来ず二人以上の人員を必要としていた。
【先行技術文献】
【特許文献】
【０００３】
【発明の概要】
【発明が解決しようとする課題】
【０００４】これは次のような欠点があった。
天井への壁紙施工時、天井部分に壁紙を両手で広げ、貼る位置を合わせ、例えば右手に圧着用ブラシを持ち、天井に壁紙の圧着を行なう際、壁紙から離した右手部分の壁紙は重力により落ちてしまう。長さの極めて短い壁紙であれば、押しピンでの仮止めや、糊を変えて一人で施工を行うが、押しピンなどを使用し、仮止めを行うと穴が開き破れの原因となる。又、糊の変更については、通常壁紙の貼り付けに使用する糊は水で希釈し使用するが天井に貼る壁紙に使用する際の糊は希釈の度合いを少なくし、粘度を高くして施工する。これは不経済なだけでなく、天井施工の為に糊の希釈を変えるのは大変手間のかかる作業である。壁紙は生産後ロール状に巻かれた状態で保存、出荷される為、丈方向に巻き癖が生じる。その為に丈方向でジョイントを行なうと仕上がりが悪く、丈で接ぐ事はしない。その為に、広い部屋や長い廊下の天井には長い壁紙を使用しなければならず、前記押しピンや糊の粘度を高くしたとしても糊付けされた長い壁紙を持ち、広げながら位置を合わせ、圧着していく事を一人で行なうのは不可能となる。
【課題を解決するための手段】
【０００５】壁紙を広げ、支持する部分を設け、その支持する両端部に壁紙が広がった状態を貼り付け位置まで保てるようにクリップを設ける。前記、支持部分の中央付近に取っ手を設け、支持部分上部には圧着用のローラーを設ける。壁紙台を設ける事で、壁紙を一人で持ちながら貼り付けを行える。
【発明の効果】
【０００６】従来、長さの有る壁紙を施工するには少なくとも二人以上の人員を必要とし、天井の壁紙施工の有る現場作業での人員の確保は悩みの種であった。壁紙を乗せる台を設け、広げながら、位置も合わせつつ圧着できる構造により従来不可能とされていた一人での天井の壁紙施工が可能となる。それにより人員の確保の問題を解決するだけでなく作業効率も向上する。
【図面の簡単な説明】
【０００７】
【図１】本発明の斜視図である。
【図２】本発明の平面図である。
【図３】本発明の正面図である。
【図４】本発明の壁紙を取り付けた側面図である。
【図５】本発明のローラー及びスプリング部分の側面図である。
【図６】本発明のクリップ可動構造の正面図である。
【発明を実施するための形態】
【０００８】以下、図面を参照しながら本発明を実施する為の形態について説明する。なお、本明細書及び図面においては、同一の符号が付された構造要素は実質的に同一の構造または機能を有するものとする。
【０００９】図１は本発明にかかる壁紙の天井貼り器の一例として構成を示す斜視図である。１は本体で広げた壁紙を支持する。
【００１０】圧着ローラー２を設け、このローラー２により壁紙を天井に圧着する。圧着ローラー２の代わりに、なでバケや圧着ブラシなどを使用しても圧着する事ができる。
【００１１】３は壁紙台で糊付けされた壁紙を上に乗せる。前後を袋縫いにし支柱を通し担架のような形状にする事で、傾いても上に乗せた壁紙を落下させにくくできる。
【００１２】壁紙広げレール４は壁紙台３から圧着ローラー２に向って左右に広がっている。〔図２〕この形状により、壁紙は壁紙台３から広げレール４の上を通過する時、左右に引っ張られた状態となる。その為、圧着ローラー２により天井に貼り付けられる時にシワが入らないようにできる。
【００１３】壁紙の張り込みの手順は以下の通りである。壁紙台３に折り重ねて載せた壁紙５の一端を持ち上げ、壁紙広げレール４の上を通過させ、圧着ローラー２の上部から下部へ巻き込むようにして壁紙クリップ１１により本体と挟み込み固定して壁紙５が広がった状態を維持する。〔図４〕
【００１４】壁紙が広がった状態で天井の壁紙貼り付け位置に合わせ、クリップ１１を開き、挟んだ壁紙をはなす。この動作を片手で行えるようにする為に本体に設けた取っ手６に三日月形のアーム７をアームシャフト８により可動的に接続する。アーム可動レバー９を上下に移動させる事でアーム先端１０が左右方向に移動する。アーム先端１０とクリップの力点１４は連結棒１３によって連結されている。クリップ力点１４がアームで引っ張られる事でクリップ１１はクリップシャフト１５を支点に回転し、クリップ挟み部分１６はＡ方向に移動し本体と離れる事で壁紙は固定されていない状態となる。〔図６〕この状態でローラー２上部を天井に押し当て壁紙貼り器をＢ方向に移動させローラー２により壁紙を圧着していく。この時、壁紙台３に乗せられた壁紙５は自動的に引っ張り上げられ、広げレール４により順次シワのない状態となりローラー２に引き込まれる。〔図４〕
【００１５】複数の圧着ローラー２を本体に接続する為に、弾性体を用いた複数のローラープレート１７を使用する事で、壁紙貼り付け時、各ローラー２は独立して可動し、壁紙貼り付け面に凹凸など不陸が有る時でも貼り付け面に沿って壁紙を圧着できる。又、ローラー２の軸１８や轂１９や輻２０の部分に弾性体を用いる事でより様々な不陸に対応できる。又、ローラー２の圧着面に弾力を持たせると、より小さな突起に対応できる。〔図５〕
【００１６】取っ手６を長い柄にする事などで、貼り付け作業時に足場を設けない状態でも天井に壁紙貼り器が届き、壁紙を貼り付ける事ができる。連結棒１３を棒状の物から紐状に替える事で、クリップの開閉も手元で容易に行える。
【００１７】本発明は以上のような構造である。この構造により、壁紙を広げ、貼り付け位置を合わせ、天井への圧着貼り付けをシワが入る事なく一人で容易に行える。
【００１８】本発明を説明するにあたり、壁紙を例にあげて説明したが本発明は壁紙に限定される物でなく、ガラスフィルムなどのシート類を貼る事ができる。又、天井以外の場所への貼り付けでも、作業効率を向上できる。
【００１９】以上、図面を参照しながら本発明の好適な実施の形態について説明したが、本発明は上述した形態に限定されない。すなわち特許請求の範囲に記載された発明の範囲内で当業者が想到し得る形態または各種の変更についても、本発明の技術的範囲に属するものと理解される。
【符号の説明】
【００２０】  １本体
２圧着ローラー
３壁紙台
４壁紙広げレール
５壁紙
６取っ手
７三日月形アーム
８アームシャフト
９アーム可動レバー
１０アーム先端
１１壁紙クリップ
１２ねじりコイルばね
１３連結棒
１４クリップ力点
１５クリップシャフト
１６クリップ挟み部分
１７ローラー接続プレート
１８ローラー軸
１９轂
２０輻
【図１】
2016125331.tif 000003
【図２】
2016125331.tif 000004
【図３】
2016125331.tif 000005
【図４】
2016125331.tif 000006
【図５】
2016125331.tif 000007
【図６】
2016125331.tif 000008